(57)【要約】【課題】コネクタの抜脱を防止することに起因した不正行為が行われたときに、その痕跡を残す。【解決手段】回路基板収納ケース４１から突出するコネクタ受け部６５にコネクタ７０を差込接続すると、フック７２の係止部７２ａが、コネクタ受け部６５の係合突起６５ａと係合される。この状態で、抜脱防止部材８０を回路基板収納ケース４１に組み付ける。抜脱防止部材８０を回路基板収納ケース４１に組み付けると、係止片８３が挿入ボックス５５の開口５５ａから挿入され、爪部８３ｃが開口５５ａの周縁部に係止される。このとき、抜脱防止部材８０の押さえ片８２がコネクタ本体７１の上面の一部に当接され、また、押さえ片８２に設けられた突出片８６が、コネクタ本体７１とフック７２の操作部７２ｂとの間に入り込む。【選択図】図９
2008018145.tif 000002
【特許請求の範囲】
【請求項１】
収納ケースに組み付けられ、前記収納ケースの開口から外部に露呈されたコネクタ受け部に差込接続されたコネクタの抜脱を防止する抜脱防止部材であって、
前記コネクタ受け部に差込接続されたコネクタで、前記コネクタ受け部に差し込まれる面とは反対側となる面の一部に当接され、前記コネクタ受け部に差込接続されたコネクタを押さえる押さえ片と、前記収納ケースに設けられた係合孔に挿通された後に、前記係合孔への挿通方向とは逆方向への移動を規制する係止片とを備えるとともに、
前記係止片は、前記係合孔に挿通されるときに弾性変形するとともに、前記係合孔の周縁部に係止される爪部と、前記爪部が設けられた軸部と、前記軸部に設けられ、前記抜脱防止部材を前記収納ケースから取り外す際に破断される破断部とから構成したことを特徴とするコネクタ用抜脱防止部材。
【請求項２】
前記コネクタ受け部は、その外周面のいずれかの面に係合突起を備え、
前記コネクタは、電気的な接続を可能とする端子を保持するコネクタ本体と、前記コネクタをコネクタ受け部に設けられた端子に向けて差込接続したときに、前記係合突起と係合するフックとから構成され、
前記フックは、前記コネクタ本体に向けて突出することで前記係合突起と係合するともに、前記係合突起から離間するよう変位可能な係止部と、前記係止部と係合突起との係合を解除する際に、押圧することで前記係止部を前記係合突起から離間させる操作部と、を備えており、
前記押さえ片は、前記フックの操作部の押圧を規制することで、前記操作部の操作を防止する操作防止部を備えていることを特徴とする請求項１記載のコネクタ用抜脱防止部材。
【請求項３】
前記押さえ片と前記係止片とを一体的に連結する連結片を備えているとともに、前記連結片は、前記押さえ片と係止片との連結を解除する連結解除部が設けられていることを特徴とする請求項１又は２記載のコネクタ用抜脱防止部材。
【請求項４】
電気的な接続を可能とする端子を保持するコネクタ受け部を備えた回路基板と、
前記コネクタ受け部に差込接続されるコネクタが設けられた電気ケーブルと、
前記回路基板を収納するとともに、前記回路基板の収納時に前記コネクタ受け部を外部に突出させる開口が設けられた基板ケースとを備え、
前記コネクタ受け部に差込接続された前記コネクタの抜脱を防止する構造において、
前記コネクタ受け部に差込接続されたコネクタで、前記コネクタ受け部に差し込まれる面とは反対側となる面の一部に当接され、前記コネクタ受け部に差込接続されたコネクタを押さえる押さえ片と、破断部が形成された軸部と該軸部の外周面から突出する爪部とから構成される係止片とを有する抜脱防止部材を備え、
前記基板ケースは、前記爪部を弾性変形させることで前記係止片を挿通させる係合孔を有しており、
前記基板ケースの開口から露呈されたコネクタ保持部に前記コネクタを差込接続した後、前記抜脱防止部材の押さえ片を前記コネクタ受け部に差し込まれる面とは反対側となる面に当接させた状態となるように、前記抜脱防止部材の係止片を前記係合孔に挿通させて、前記抜脱防止部材の係止片の爪部を係合孔の周縁部に係合させることで、前記抜脱防止部材による前記コネクタの抜脱防止を行うことができるようにしたことを特徴とするコネクタの抜脱防止構造。
【発明の詳細な説明】
【技術分野】
【０００１】
本発明は、基板ケースに収納された回路基板に設けられたコネクタ受け部に差込接続されたコネクタの抜脱を防止するコネクタ用抜脱防止部材、及びコネクタ抜脱防止構造に関するものである。
【背景技術】
【０００２】
パチンコ店などの遊技場に設置して使用されるパチンコ機やスロットマシン等の遊技機は、パチンコ球やメダル等の遊技媒体に一定の価値が与えられて、ゲームを行って獲得した遊技媒体を種々の景品に交換することができる。遊技機には、遊技媒体の供給に基づいて作動させるランプ装置や音声発生装置などの様々な各種駆動装置及びこれら駆動装置を制御する制御回路基板を含む制御回路装置を備えており、遊技者が遊技を行う際にこれらを適宜作動させることによって遊技を興趣に溢れたものとしている。また、近年では、所定の識別情報（図柄）を変動表示し得るリール表示装置や、液晶画像表示装置等の図柄可変表示装置を内蔵し、所定条件を満たしたときに識別情報を変動させた後に停止表示させるように図柄可変表示装置を作動させるものが主流となっている。これらの装置は制御回路基板によって制御されている。
【０００３】
最近の遊技機の内部に配設されている制御回路基板は、その基板上に設けられたＣＰＵ（Ｃｅｎｔｒａｌ  Ｐｒｏｃｅｓｓｉｎｇ  Ｕｎｉｔ）が、制御プログラムに従って電子制御を行うものが一般的である。制御プログラムは、基板上に装着されたマスクＲＯＭ（Ｒｅａｄ  Ｏｎｌｙ  Ｍｅｍｏｒｙ）などのメモリチップにデータとして記憶されており、ＣＰＵは、遊技状態に応じてメモリチップから制御プログラムのデータを逐次読み出して実行することによって制御を行っている。
【０００４】
また、遊技場に設置される遊技機は、制御プログラムが不正に改変されないよう管理されており、制御回路基板を基板収納ケースに収納し、その基板収納ケースを、筐体内又は本体基部の所定部材に組み付けるなどして、制御プログラムが不正に改変されないように配慮がなされている。さらに、制御プログラムのデータが記憶されたメモリチップは、装着されている基板上から容易に外すことができないよう、封印シールが貼付されるなどして、制御プログラムが不正に交換されて改変されないように配慮がなされている。遊技機にはこのような高いセキュリティが求められている。
【０００５】
一方、基板収納ケースに収納された制御回路基板は、他の制御回路基板や駆動装置に対してケーブル等によって電気的に接続させることが一般的に行われている。例えば制御回路基板に設けられたコネクタ受け部は、基板収納ケースに設けられた開口を介して露呈される、或いは開口からコネクタ受け部の一部が突出しており、ケーブルの一端に保持されるコネクタは、基板収納ケースに設けられた開口を介して、或いは直接差込接続されることになる。このようにコネクタをコネクタ受け部に差込接続する場合、その抜脱防止を行う方法として、例えばケーブルに対してスライド自在に組み付けられた抜脱防止部材を基板収納ケースに係合させることが考えられる（特許文献１）。また、この他に、基板収納ケースに設けられる開口の周縁部にコネクタ受け部に差込接続したときに、コネクタをコネクタ受け部に向けて付勢する付勢手段を基板収納ケースに組み付けたり、コネクタの抜脱防止を行う保持手段を基板収納ケースの開口の周縁部に設けることで、コネクタがコネクタ受け部からの抜脱を防止することも考えられている（特許文献２、３等）。
【特許文献１】特開２００１−２７６３８８号公報
【特許文献２】特開２００５−３２３７２８号公報
【特許文献３】特開２００２−２７０３００号公報
【発明の開示】
【発明が解決しようとする課題】
【０００６】
しかしながら、近年、強制的にスタート信号、ストップ信号などをスロットマシンの遊技制御回路基板に送信して擬似的に遊技を進行させて当たりフラグを発生させる、所謂打ち込み機や、当選を誘発させる信号を不正に遊技制御回路基板に送信する、所謂ぶら下がり基板と呼ばれる回路基板等のコネクタを、遊技制御回路基板のコネクタ受け部に差込接続されたコネクタを抜脱した後に差込接続するという不正行為が行われるという問題がある。例えば、引用文献２，３に示すように、付勢部材を基板収納ケースに組み付ける、或いは基板収納ケースに設けられた保持手段によってコネクタ受け部に差込接続されたコネクタの差込接続の状態を保持する場合には、コネクタ受け部から正規のコネクタを抜脱し、不正なコネクタを差込接続することが容易に行え、また、不正行為が行われたことを示す痕跡が残らないため、実際に不正行為が行われたか否かを判断することが難しく、また、上述した方法では不正行為を抑止するものとはなりにくい。
【０００７】
一方、ケーブルに組み付けられた抜脱防止部材を基板ケースに組み付けた場合には、抜脱防止部材を基板ケースから取り外すことが難しいため、上述した不正行為を、その痕跡を残さずに行わせずに済むという利点があるものの、基板収納ケースを分解しないと、抜脱防止部材を基板ケースから取り外すことができないため、パチンコ店などの遊技場での交換の際や、その分解作業時に手間が掛かるという問題がある。
【０００８】
本発明は、上記課題を解決するためになされたものであり、コネクタの抜脱を防止することに起因した不正行為を防止し、また、仮に不正行為が行われたとしても、その痕跡を残すことができるようにしたコネクタ用抜脱防止部材、及びコネクタの抜脱防止構造を提供することを目的とする。
【課題を解決するための手段】
【０００９】
上記目的を達成するために、本発明のコネクタ用抜脱防止部材は、収納ケースに組み付けられ、前記収納ケースの開口から外部に露呈されたコネクタ受け部に差込接続されたコネクタの抜脱を防止する抜脱防止部材であって、前記コネクタ受け部に差込接続されたコネクタで、前記コネクタ受け部に差し込まれる面とは反対側となる面の一部に当接され、前記コネクタ受け部に差込接続されたコネクタを押さえる押さえ片と、前記収納ケースに設けられた係合孔に挿通された後に、前記係合孔への挿通方向とは逆方向への移動を規制する係止片とを備えるとともに、前記係止片は、前記係合孔に挿通されるときに弾性変形するとともに、前記係合孔の周縁部に係止される爪部と、前記爪部が設けられた軸部と、前記軸部に設けられ、前記抜脱防止部材を前記収納ケースから取り外す際に破断される破断部とから構成したことを特徴とする。
【００１０】
また、前記コネクタ受け部は、その外周面のいずれかの面に係合突起を備え、前記コネクタは、電気的な接続を可能とする端子を保持するコネクタ本体と、前記コネクタをコネクタ受け部に設けられた端子に向けて差込接続したときに、前記係合突起と係合するフックとから構成され、前記フックは、前記コネクタ本体に向けて突出することで前記係合突起と係合するともに、前記係合突起から離間するよう変位可能な係止部と、前記係止部と係合突起との係合を解除する際に、押圧することで前記係止部を前記係合突起から離間させる操作部と、を備えており、前記押さえ片は、前記フックの操作部の押圧を規制することで、前記操作部の操作を防止する操作防止部を備えていることを特徴とする。
【００１１】
また、前記押さえ片と前記係止片とを一体的に連結する連結片を備えているとともに、前記連結片は、前記押さえ片と係止片との連結を解除する連結解除部が設けられていることを特徴とする。
【００１２】
また、本発明のコネクタの抜脱防止構造は、電気的な接続を可能とする端子を保持するコネクタ受け部を備えた回路基板と、前記コネクタ受け部に差込接続されるコネクタが設けられた電気ケーブルと、前記回路基板を収納するとともに、前記回路基板の収納時に前記コネクタ受け部を外部に突出させる開口が設けられた基板ケースとを備え、前記コネクタ受け部に差込接続された前記コネクタの抜脱を防止する構造において、前記コネクタ受け部に差込接続されたコネクタで、前記コネクタ受け部に差し込まれる面とは反対側となる面の一部に当接され、前記コネクタ受け部に差込接続されたコネクタを押さえる押さえ片と、破断部が形成された軸部と該軸部の外周面から突出する爪部とから構成される係止片とを有する抜脱防止部材を備え、前記基板ケースは、前記爪部を弾性変形させることで前記係止片を挿通させる係合孔を有しており、前記基板ケースの開口から露呈されたコネクタ保持部に前記コネクタを差込接続した後、前記抜脱防止部材の押さえ片を前記コネクタ受け部に差し込まれる面とは反対側となる面に当接させた状態となるように、前記抜脱防止部材の係止片を前記係合孔に挿通させて、前記抜脱防止部材の係止片の爪部を係合孔の周縁部に係合させることで、前記抜脱防止部材による前記コネクタの抜脱防止を行うことができるようにしたことを特徴とする。
【発明の効果】
【００１３】
本発明のコネクタ用抜脱防止部材によれば、収納ケースに組み付けられ、前記収納ケースの開口から外部に露呈されたコネクタ受け部に差込接続されたコネクタの抜脱を防止する抜脱防止部材であって、前記コネクタ受け部に差込接続されたコネクタで、前記コネクタ受け部に差し込まれる面とは反対側となる面の一部に当接され、前記コネクタ受け部に差込接続されたコネクタを押さえる押さえ片と、前記収納ケースに設けられた係合孔に挿通された後に、前記係合孔への挿通方向とは逆方向への移動を規制する係止片とを備えるとともに、前記係止片は、前記係合孔に挿通されるときに弾性変形するとともに、前記係合孔の周縁部に係止される爪部と、前記爪部が設けられた軸部と、前記軸部に設けられ、前記抜脱防止部材を前記収納ケースから取り外す際に破断される破断部とから構成したから、コネクタ受け部からコネクタが抜脱することを防止することで、上述した打ち込み機や、ぶら下がり基板等のコネクタを遊技制御回路基板に接続する不正行為を抑制することができるとともに、仮に抜脱防止部材が取り外された場合であっても、軸部に設けられた破断部から係止片が切断され、収納ケースに、破断された係止片の一部が残る、つまり、不正行為が行われた痕跡が残るので、結果的に不正行為を防止する抑止力となる。
【００１４】
また、前記コネクタ受け部は、その外周面のいずれかの面に係合突起を備え、前記コネクタは、電気的な接続を可能とする端子を保持するコネクタ本体と、前記コネクタをコネクタ受け部に設けられた端子に向けて差込接続したときに、前記係合突起と係合するフックとから構成され、前記フックは、前記コネクタ本体に向けて突出することで前記係合突起と係合するともに、前記係合突起から離間するよう変位可能な係止部と、前記係止部と係合突起との係合を解除する際に、押圧することで前記係止部を前記係合突起から離間させる操作部と、を備えており、前記押さえ片は、前記フックの操作部の押圧を規制することで、前記操作部の操作を防止する操作防止部を備えているから、抜脱防止部材が収納ケースに組み付けられた状態では、フックの操作部の操作を行うことが困難となり、不正な交換作業を抑制させることができる。
【００１５】
また、前記押さえ片と前記係止片とを一体的に連結する連結片を備えているとともに、前記連結片は、前記押さえ片と係止片との連結を解除する連結解除部が設けられているから、例えば、抜脱防止部材を無理に取り外そうとした場合には、連結解除部から抜脱防止部材が破断されることから、コネクタを一旦抜脱した後に、他のコネクタに差込接続させる等の不正行為が行われた痕跡を残すことができる。
【００１６】
また、本発明のコネクタの抜脱防止構造によれば、電気的な接続を可能とする端子を保持するコネクタ受け部を備えた回路基板と、前記コネクタ受け部に差込接続されるコネクタが設けられた電気ケーブルと、前記回路基板を収納するとともに、前記回路基板の収納時に前記コネクタ受け部を外部に突出させる開口が設けられた基板ケースとを備え、前記コネクタ受け部に差込接続された前記コネクタの抜脱を防止する構造において、前記コネクタ受け部に差込接続されたコネクタで、前記コネクタ受け部に差し込まれる面とは反対側となる面の一部に当接され、前記コネクタ受け部に差込接続されたコネクタを押さえる押さえ片と、破断部が形成された軸部と該軸部の外周面から突出する爪部とから構成される係止片とを有する抜脱防止部材を備え、前記基板ケースは、前記爪部を弾性変形させることで前記係止片を挿通させる係合孔を有しており、前記基板ケースの開口から露呈されたコネクタ保持部に前記コネクタを差込接続した後、前記抜脱防止部材の押さえ片を前記コネクタ受け部に差し込まれる面とは反対側となる面に当接させた状態となるように、前記抜脱防止部材の係止片を前記係合孔に挿通させて、前記抜脱防止部材の係止片の爪部を係合孔の周縁部に係合させることで、前記抜脱防止部材による前記コネクタの抜脱防止を行うことができるようにしたから、コネクタ受け部からコネクタが抜脱することを防止することで、コネクタの不正な差込接続を防止することができるとともに、抜脱防止部材が取り外された場合には、軸部に設けられた破断部から係止片が切断され、収納ケースに破断された係止片の一部が残るので、上述した打ち込み機やぶら下がり基板などを接続する等の不正行為を防止することができる、また、不正にコネクタの抜脱行為が行われたとしても、その痕跡を残すことができるので、結果的に不正行為を防止する抑止力となる。
【発明を実施するための最良の形態】
【００１７】
図１に示すように、スロットマシン２は、収納箱４と、この収納箱４の前面に設けられた前面扉５とからなる筐体３の内部に、後述する第１リール１０、第２リール１１、第３リール１２、電源装置３５（図２参照）、ホッパー装置３６（図２参照）等が配設された構成となっている。
【００１８】
前面扉５は、上部扉６と下部扉７との２枚の扉から構成される。上部扉６には表示窓８が設けられている。この表示窓の奥には第１リール１０、第２リール１１，第３リール１２が配設されている。周知のように、第１リール１０、第２リール１１、第３リール１２の外周面には、例えば複数種類の図柄が複数個配列されている。第１リール１０、第２リール１１、第３リール１２が停止すると、第１リール１０、第２リール１１、第３リール１２の図柄が各３個表示窓８から表示され、表示窓８を通して計９個の図柄が表示される。
【００１９】
下部扉７の上部には、遊技の開始時に操作される１枚ベットボタン２０、ＭＡＸベットボタン２１、ペイアウトボタン２２などの各種の操作ボタンが設けられている。
【００２０】
１枚ベットボタン２０は、投入されたメダルを１枚使用して遊技を行う場合に押圧操作されるボタンである。ＭＡＸベットボタン２１は、投入されたメダルを最大使用枚数（例えば３枚）使用して遊技を行う場合に押圧操作されるボタンである。なお、メダルの投入とは、メダル投入口２８から直接メダルを投入する他に、クレジットされたメダルがある場合に、１枚ベットボタン２０やＭＡＸベットボタンを押圧操作することも含む。
【００２１】
これらボタンの近傍には、スタートレバー２３や、第１ストップボタン２５、第２ストップボタン２６、第３ストップボタン２７が設けられている。スタートレバー２３は、遊技を実行する際に操作される。第１ストップボタン２５は、回転する第１リール１０を停止させる際に押圧操作されるボタンである。同様にして、第２ストップボタン２６、第３ストップボタン２７は、回転する第２リール１１、第３リール１２をそれぞれ停止させる際に押圧操作されるボタンである。
【００２２】
また、下部扉７には、遊技を行う際にメダルを投入するためのメダル投入口２８が設けられている。メダル投入口２８の奥にはセレクタが組み込まれ、不適正なメダルはメダル払出口２９を介してメダル受け皿３０に排出される。また、セレクタは、例えば遊技の途中や各種の操作ボタンが押されたままの状態で投入された等の不適切なタイミングでメダルの投入が行われたときに、投入されたメダルをメダル受け皿３０に排出する。なお、遊技の開始に先立って投入するメダルの枚数は１〜３枚に限られているため、クレジット機能を用いていないときには４枚目以降に投入されたメダルはメダル受け皿３０に排出される。
【００２３】
一方、クレジット機能がオン状態のときには４枚目以降に投入されたメダルは、セレクタに設けられたメダルセンサ（図示せず）で検知された後、例えば５０枚を限度にスロットマシン２の内部に貯留される。このクレジット機能を用いているときには、前述した１枚ベットボタン２０やＭＡＸベットボタン２１の操作によりメダルの投入操作が行われ、そのベット枚数がクレジット枚数から逐次に減算される。また、遊技の結果、入賞が得られたときには配当となるメダルもクレジットされ、ペイアウトボタン２２を操作したときにクレジットされているメダルがメダル受け皿３０に払い出される。
【００２４】
図２に示すように、筐体３を構成する収納箱４の内部には、電源装置３５、ホッパー装置３６、第１リール１０、第２リール１１、第３リール１２を備えたリールユニット３７等が組み付けられる。なお、図２では、図の煩雑さを防止するために、第１リール１０、第２リール１１、第３リール１２の外周に配置される複数の図柄を省略してある。電源装置３５は、スロットマシン２の電力を供給するためのものである。
【００２５】
ホッパー装置３６は、収納箱４の下部に設けられている。ホッパー装置３６は、このスロットマシン２で遊技を行って入賞を得た場合に作動し、入賞に対するメダルを連続してメダル受け皿３０に払い出す。このホッパー装置３６の上部には、払出し用のメダルを貯留する貯留タンク３７が設けられている。この貯留タンク３７には、メダル投入口２８から投入されたメダルが貯留される。オーバーフロー用の貯留箱３８は、ホッパー装置３６の貯留タンク３７に貯留されたメダルが所定量を超えたときに、貯留タンク３７から排出されたメダルが貯留される。
【００２６】
この収納箱４の内部で、その上部には、回路基板収納ケース（収納ケース）４１が配設されている。図３及び図４に示すように、回路基板収納ケース４１は、上ケース４２及び下ケース４３とから構成され、それぞれが透明な合成樹脂によって形成され、その内部に遊技制御回路基板４４が収納される。
【００２７】
上ケース４２は、底面が開口された略扁平箱形状から構成され、その上面の高さが異なる段差形状から構成されている。この上ケース４２の段差面４２ａには、回路基板収納ケース４１の内部に収納される遊技制御回路基板４４の上面に組み付けられたコネクタ受け部６５を回路基板収納ケース４１の外部に突出させる開口４５が、段差面４２ａの長手方向に沿って、例えば３カ所に設けられている。これら開口４５は、コネクタ受け部６５が挿通される第１挿通部４５ａと、後述する抜脱防止部材８０の係止片８３が挿通される第２挿通部４５ｂとから構成され、第１挿通部４５ａの長手方向と第２挿通部４５ｂの長手方向とが直交する略Ｔ字形状から構成されている。また、上ケース４２の下面には、開口４５を取り囲む仕切片４６が設けられている（図６参照）。この仕切片４６は、収納される遊技制御回路基板４４の上面に当接され、遊技制御回路基板４４のコネクタ受け部６５の周縁部と、他の箇所とを仕切ることで、回路基板収納ケース４１の内部への異物の挿入を防止している。
【００２８】
下ケース４３は、上面が開口された箱形形状から構成されている。この下ケース４３の底面４３ａには、後述する挿入ボックス５５が組み付けられる組付け部５０が下ケース４３の長手方向に例えば３カ所設けられている。この組付け部５０は、係止片５１，５２から構成されている。これら係止片５１，５２は、所定の間隔を空けて、且つそれぞれの爪部５１ａ，５２ａが対面するように設けられている。なお、所定の間隔とは、後述する挿入ボックス５５を組み付けたときに、挿入ボックス５５の係合部５５ｂ、５５ｃとそれぞれ係合できる間隔である。この組付け部５０の近傍で、下ケース４３の底面４３ａの短手方向の略中央には、基板支持部５３が３カ所に設けられている。この基板支持部５３は、遊技制御回路基板４４に設けられたコネクタ受け部６５にコネクタ７０が差込まれる際に、遊技制御回路基板４４を下面から支持することで、遊技制御回路基板４４が下方に撓むことによる遊技制御回路基板４４の破損を防止する。
【００２９】
上述したように、挿入ボックス５５は、下ケース４３の底面４３ａに設けられた組み付け部５０に組み付けられる。この挿入ボックス５５は、例えば透明な合成樹脂から形成され、略方形状の中空空間５５ｄを備えた略箱形状から構成されている。この挿入ボックス５５の上面には、後述する抜脱防止部材８０の係止片が挿入される開口（係合孔）５５ａが形成されている。また、側面下部には、組み付け部の係止片５１，５２とそれぞれ係合される係合部５５ｂ，５５ｃが設けられている。なお、この挿入ボックス５５は下ケース４３と一体に形成されていてもよい。
【００３０】
遊技制御回路基板４４は、回路パターンが設けられた基板６０上にＣＰＵ（Ｃｅｎｔｒａｌ  Ｐｒｏｃｅｓｓｉｎｇ  Ｕｎｉｔ）６１、ＲＯＭ（Ｒｅａｄ  Ｏｎｌｙ  Ｍｅｍｏｒｙ）６２、ＲＡＭ（Ｒａｎｄｏｍ  Ａｃｃｅｓｓ  Ｍｅｍｏｒｙ）６３等の回路構成部品が組み付けられることによって形成された制御回路を有している。また、この他に、他の制御回路基板や、電源装置３５等のスロットマシン２を構成する他の装置と、電気的に接続するための基板端子を保持するコネクタ受け部６５が配設されている。遊技制御回路基板４４を回路基板収納ケース４１に収納すると、コネクタ受け部６５は、上ケース４２に設けられた開口４５の第１挿通部４５ａから外部に突出される。このコネクタ受け部６５には、例えばケーブル７５の一端に保持されるコネクタ７０が差込接続される。このコネクタ受け部６５の外側面には、後述するコネクタ７０が差込接続されたときに、コネクタ７０のフック７２の係止部７２ａが係合される係合突起６５ａが設けられている。また、この遊技制御回路基板４４には、下ケース４３に組み付けられる挿入ボックス５５を挿通させる挿通孔６６が３カ所に設けられている。
【００３１】
コネクタ７０は、ケーブル７５の一端が保持されるコネクタ本体７１と、このコネクタ本体７１の側面に設けられたフック７２とから構成され、これらが一体成形されている。フック７２は、コネクタ本体７１と対面し、コネクタ受け部６５に設けられた係合突起６５ａに係合される係止部７２ａと、係止部７２ａと係合突起６５ａとの係合を解除する際にコネクタ本体７１に向けて押圧操作される操作部７２ｂと、フック７２とコネクタ本体７１とを連結させ、操作部７２ｂの操作時にフック７２を支持する支持部７２ｃとから構成されている。
【００３２】
例えば、コネクタ７０をコネクタ受け部６５に差込接続すると、フック７２の係止部７２ａがコネクタ受け部６５の側面に設けられた係合突起６５ａに乗り上げることでフック７２が撓む。その後、コネクタ７０のコネクタ受け部６５への差込接続が完了すると、フック７２が元の状態に復帰し、コネクタ７０を抜脱するときの係止部７２ａの移動軌跡上に係合突起６５ａが位置することになり、係止部７２ａと係合突起６５ａとが係合されることになる。なお、コネクタ７０をコネクタ受け部６５から抜脱するときには、操作部７２ｂをコネクタ本体７１に向けて押圧操作し、支持部７２ｃを中心にして係止部７２ａがコネクタ本体７１から離間するように変位し、見かけ上、コネクタ７０を抜脱する際の、係止部７２ａの移動軌跡上から係合突起６５ａが退避した状態になる。これにより、係止部７２ａと係合突起６５ａとの係合が解除され、コネクタ７０をコネクタ受け部６５から抜脱することが可能となる。
【００３３】
図４又は図５に示すように、抜脱防止部材８０は、Ｌ字状の部材本体（連結片）８１と、この部材本体８１のうち、上方に延びる一片の上端部から直交して延出される押さえ片８２と、部材本体８１の下面から突出する係止片８３とから構成されている。部材本体８１は、上述したようにＬ字状からなり、水平方向に延びる一片８１ａと、この一片８１ａから垂直で、且つ上方に延出される他片８１ｂとから構成される。この一片８１ａの下面には、上述した係止片が設けられており、抜脱防止部材８０を回路基板収納ケース４１に組み付けると、この一片８１ａが上ケース４２の段差面４２ａに設けられた開口４５の第２挿通部４５ｂの内部に挿入された状態で保持される。また、部材本体８１の他片８１ｂで、前記押さえ片８２が延出される面の長手方向の略中央には、Ｖ字状の溝（連結解除部）８５が設けられている。この溝８５は、押さえ片８２を掴んで、抜脱防止部材８０を回路基板収納ケース４１から取り外すときに、部材本体８１を折れ曲げやすくする、或いは部材本体８１の一部と、押さえ片８２とを切断させやすくする、つまり、抜脱防止部材８０を破断させやすくするために設けられている。
【００３４】
押さえ片８２は、コネクタ７０の上面（ケーブルが差し込まれる面）７０ａの一部に当接されることで、コネクタ受け部６５に差込接続されたコネクタ７０の抜脱を防止する。この押さえ片８２には、その下面から突出する突出片（操作防止部）８６が設けられている。この突出片８６は、抜脱防止部材８０を回路基板収納ケース４１に組み付けたときに、コネクタ本体７１とフック７２の操作部７２ｂとの隙間に上方から入り込み、フック７２の操作部７２ｂの押圧操作による係止部７２ａと係合突起６５ａとの係合の解除を防止する。
【００３５】
係止片８３は、角柱形状の軸部８３ａと、この軸部８３ａの軸方向に所定の間隔を空けて配置される鏃部８３ｂ，８３ｃとから構成されている。軸部８３ａは、挿入ボックス５５の上面に設けられた開口５５ａから内部の中空空間５５ｄに挿入するために設けられている。この軸部８３ａには、その軸方向に所定の間隔を空けて２カ所に軸方向と直交する一対のＶ字状の溝部（破断部）８８，８９が設けられている。これら溝部８８，８９は、軸部８３ａを破断するために設けられている。
【００３６】
鏃部８３ｂは、軸部８３ａの先端と溝部８８との間に設けられている。この鏃部８３ｂは、軸部８３ａの先端から部材本体８１に向けて、それぞれの間隔が広くなる、つまり略ハの字状に突出される一対の爪９１，９２から構成されている。また、鏃部８３ｃは、溝部８８と溝部８９との間に設けられている。この鏃部８３ｃは、鏃部８３ｂと同様に、軸部８３ａから部材本体８１に向けて、それぞれの間隔が広くなる、つまり略ハの字状に突出される一対の爪９３，９４から構成されている。なお、鏃部８３ｂにおいて、爪９１の軸部８３ａ側の端部とは反対側の端部（自由端）と、爪９２の軸部８３ａ側の端部（自由端）とは反対側の端部との間の距離Ｗ１は、挿入ボックス５５の開口５５ａの幅Ｗ２（図５参照）よりも広くなるように形成されている。また、鏃部８３ｃにおいても同様であり、爪９３の軸部８３ａ側の端部とは反対側の端部（自由端）と、爪９４の軸部８３ａ側の端部とは反対側の端部（自由端）との間の距離Ｗ３は、挿入ボックス５５の開口５５ａの幅Ｗ２よりも広くなるように形成されている。
【００３７】
例えば、軸部８３ａの先端が挿入ボックス５５の開口５５ａに挿入されたときには、鏃部８３ｂの爪９１，９２の自由端には、開口５５ａの内周壁面によって軸部８３ａの軸芯方向に向けた外力が発生し、爪９１，９２の自由端がそれぞれ弾性変形し、その間の距離Ｗ１が狭くなる。そして、鏃部８３ｂが開口５５ａに挿通された後には、挿入ボックス５５内の中空空間５５ｄの壁面の対向距離Ｗ４（図６参照）が、開口５５ａの幅Ｗ２よりも大きいことから、爪９１，９２の自由端には、軸部８３ａの軸芯方向に向けた外力がそれぞれ掛からなくなり元の状態に復帰する。この復帰の際に、開口５５ａの周縁部に爪９１，９２の自由端が係止され、抜脱防止部材８０が回路基板収納ケース４１から取り外し不能に係合される。なお、鏃部８３ｃの場合も同様であるので、ここでは説明を省略する。なお、鏃部８３ｂ、８３ｃを軸部８３ａの軸方向に所定の間隔を空けて設けることで、挿入ボックス５５の上面の高さに応じて係止する鏃部を変え、抜脱防止部材８０の高さ調整を行う、つまり複数のコネクタがコネクタ受け部に接続された場合、コネクタの高さが異なる場合に対応できる。なお、鏃部は、軸部の軸方向に対して１カ所であってもよい。
【００３８】
溝部８８，８９は、軸部８３ａの軸方向に所定の間隔を空けて、軸方向と直交する方向に２つのＶ字形状の溝の先端同士が対向するように設けられている。例えば、部材本体８１側の鏃部８３ｃまで挿入ボックス５５の開口５５ａから挿入ボックス５５の内部に設けられた中空空間５５ｄに挿入された場合で、抜脱防止部材８０を回路基板収納ケース４１から取り外すときには、抜脱防止部材８０の部材本体８１を９０°回転以上させると、鏃部８３ｃが挿入ボックス５５の中空空間５５ｄにおいて可動できないため、溝部８９に負荷が掛かり、溝部８９において係止片８３が破断される。また、係止片８３が軸部８３ａの先端側の鏃部８３ｂのみが挿入ボックス５５の開口５５ａから内部の中空空間５５ｄに挿入されている場合には、抜脱防止部材８０の部材本体８１を９０°回転以上させると、鏃部８３ｂが挿入ボックス５５の中空空間５５ｄにおいて可動できないため、溝部８８に負荷が掛かり、溝部８８で係止片８３が破断される。このように、係止片８３の分離により、抜脱防止部材８０の部材本体８１と押さえ片８２とが、回路基板収納ケース４１から取り外すことが可能となる。このとき、破断した係止片８３の先端部分は、挿入ボックス５５の内部に残留する。
【００３９】
次に、本実施形態の作用について説明する。挿入ボックス５５を下ケース４３の組付け部５０に着脱自在に組み付けた後、この下ケース４３と上ケース４２とを用いて、遊技制御回路基板４４を収納固定する。このとき、図６に示すように、遊技制御回路基板４４に設けられたコネクタ受け部６５が、開口４５の第１挿通部４５ａに挿通され、コネクタ受け部６５が上ケース４２から外部に突出された状態で保持される。この状態で、スロットマシン２の内部に組み込まれた後、他の装置、或いは他の回路基板とケーブル７５などを用いて電気的に接続する。なお、下ケース４３には基板支持部５３が設けられていることから、コネクタ７０をコネクタ受け部６５に差し込む際には、遊技制御回路基板４４が撓むことがない。
【００４０】
コネクタ７０をコネクタ受け部６５に差し込む過程で、フック７２の係止部７２ａが、コネクタ受け部６５の側面に設けられた係合突起６５ａの傾斜面に摺接しながら乗り上げることで、フック７２が弾性変形した後、傾斜面との摺接が解除され元の状態に復帰する。これにより、図７に示すように、コネクタ７０を抜脱する際には、フック７２の係止部７２ａの移動軌跡上に係合突起６５ａが位置する、つまり、フック７２が係合突起６５ａによって係止された状態となる。例えばコネクタ７０をコネクタ受け部６５から抜脱する場合には、フック７２の操作部７２ｂをケーブル７５側方向に向けて押圧することで、係合突起６５ａによるフック７２が支持部７２ｃを支点にして変位し、係止状態が解除されるので、容易にコネクタ７０をコネクタ受け部６５から抜脱させることができる。
【００４１】
上述したように、この状態ではコネクタ７０をコネクタ受け部６５から容易に抜脱することができるので、抜脱防止部材８０を回路基板収納ケース４１に組み付けることで、コネクタ７０の抜脱を行えないようにする。図８に示すように、抜脱防止部材８０を回路基板収納ケース４１に組み付ける際には、係止片８３の先端を挿入ボックス５５の開口５５ａに挿入し、抜脱防止部材８０を回路基板収納ケース４１に向けて押圧する。この押圧により、係止片８３の鏃部８３ｂの爪９１，９２が開口５５ａに摺接されるので、爪９１，９２の自由端が、軸部８３ａの軸芯方向に向けて弾性変形しながら、開口５５ａを通過する。鏃部８３ｂが開口５５ａを通過し、挿入ボックス５５の中空空間５５ｄまで入り込むと、鏃部８３ｂの爪９１，９２の自由端に掛かる外力が無くなるので、鏃部８３ｂは元の状態に復帰する。
【００４２】
更に、抜脱防止部材８０を回路基板収納ケース４１に向けて押圧すると、同様にして係止片８３の鏃部８３ｃが、軸部８３ａの軸芯方向に向けて弾性変形しながら開口５５ａを通過し、挿入ボックス５５の中空空間５５ｄに挿入される。このときに、図９に示すように、押さえ片８２の下面に設けられた突出片８６がコネクタ本体７１とフック７２の操作部７２ｂとの間Ｓ（図５参照）に入り込む。また、抜脱防止部材８０の部材本体８１の一片８１ａが上ケース４２に設けられた開口４５の第２挿通部４５ｂに挿入される。なお、この際に、上ケース４２の段差面４２ａと、部材本体８１の一片８１ａの上面とが略同一平面となる。一方、開口５５ａを通過し、中空空間５５ｄに入り込んだ鏃部８３ｃの爪９３，９４は、外力の影響を受けなくなるので元の状態に復帰する。なお、鏃部８３ｃの爪９３の自由端から爪９４の自由端までの距離Ｗ３は、開口５５ａの幅Ｗ２よりも広いため、鏃部８３ｃが挿入ボックス５５の中空空間５５ｄに入り込むと、爪９３，９４の自由端が開口５５ａの周縁部に係止された状態で保持される。
【００４３】
この状態では、抜脱防止部材８０の押さえ片８２は、コネクタ本体７１の上面７１ａに当接された状態で保持され、また、突出片８６がコネクタ本体７１とフック７２の操作部７２ｂとの間Ｓに入り込んだ状態で保持されていることから、コネクタ７０を抜脱することができなくなる。これにより、例えば、遊技制御回路基板４４のＲＯＭ６２を不正に交換する、或いは他のコネクタを差し込むことで、遊技制御回路基板４４の制御を不正に変更する等の不正行為を防ぐことが可能となる。
【００４４】
なお、押さえ片８２を掴んで、抜脱防止部材８０を回路基板収納ケース４１から取り外そうとしても、部材本体８１の他片８１ｂには、Ｖ字状の溝８５が設けられていることから、部材本体８１の他片８１ｂの反り返りによって、溝８５の近傍で折れ曲がる、或いは溝で簡単に破断することになる。例えば折れ曲がった場合には、溝８５が設けられた面とは反対側の面には白化が生じることになる。また、部材本体８１の他片８１ｂが破断した場合には、押さえ片８２と部材本体８１の他片８１ｂの一部が取り外されることで、コネクタ７０をコネクタ受け部６５から抜脱させることができるが、回路基板収納ケース４１には、抜脱防止部材８０の一部が残留する。これにより、遊技場の管理者は、抜脱防止部材８０の状態を確認することで、不正な行為が行われたか否かを判断することができる。
【００４５】
また、突出片８６がコネクタ本体７１とフック７２の操作部７２ｂとの間から抜き出すことができたとしても、係止片８３の鏃部８３ｃと挿入ボックス５５とが係合されていることから、抜脱防止部材８０を係止片８３の軸部８３ａを中心にして９０°以上回転させる等の行為を行うことになる。挿入ボックス５５の中空空間５５ｄに入り込んだ係止片８３の先端は、その回動が規制されることから、抜脱防止部材８０を係止片８３の軸部８３ａを中心にして回転させた場合には、係止片８３の軸部８３ａに設けられた溝部８９で破断することになる。この場合、コネクタ７０をコネクタ受け部６５から抜脱することができるが、挿入ボックス５５の中空空間５５ｄに破断した係止片８３の先端部分が残留することから、不正に取り外されたか否かを確認することができ、結果的にそのような行為を防止することができる。なお、このような回路基板収納ケース４１を再利用する場合には、下ケース４３の挿入ボックス５５を係止片５１，５２による係合を解除して新しい挿入ボックス５５に付け替えるだけでよい。
【００４６】
本実施形態では、コネクタ７０をコネクタ受け部６５に差込接続した状態で、回路基板収納ケース４１を上ケース４２と下ケース４３とに分解することが可能な形態であるため、遊技制御回路基板４４によるメンテナンスは容易となるが、遊技制御回路基板４４に他の基板の端子を不正に接続する、或いは遊技制御回路基板４４に組み付けられるＲＯＭ６２を不正に交換するなどの危険性がある。以下では、本実施形態と、同一の構成となる箇所については、本実施形態と同一の符号を付して説明する。図１０に示すように、例えば、上ケース４２に、コネクタ受け部６５を突出させる開口９７と、抜脱防止部材８０の係止片８３が挿入される開口９８とを別々に設け、抜脱防止部材８０の部材本体８１の一片８１ａと挿入ボックス５５とによって上ケース４２を挟持させるようにすることも可能である。これにより、抜脱防止部材８０を取り除いてコネクタ７０をコネクタ受け部６５から抜脱可能にする状態にさせない限りは、回路基板収納ケース４１を上ケース４２と下ケース４３とに分解できないので、遊技制御回路基板４４に他の基板の端子を不正に接続する、或いは遊技制御回路基板４４に組み付けられるＲＯＭ６２を不正に交換するなどの不正な行為を防止することができる。
【００４７】
なお、この場合、抜脱防止部材８０の部材本体８１の一片８１ａが上ケース４２の上方に位置することになるから、例えば封印シール９５を部材本体８１の一片８１ａ上から上ケース４２の上面に渡って貼付すれば、封印シール９５の貼付状態などから、不正な行為が行われたか否かを判断することも可能となる。
【００４８】
本実施形態では、抜脱防止部材の部材本体８１の他片８１ｂに溝８５を設けたが、この他に、部材本体８１の他片８１ｂの溝８５にあたる箇所に固有の情報を記憶させたＲＦＩＤチップを埋め込んで定期的に固有の情報を読み出して監視することも可能である。これによれば、溝近傍で破断されると同時に、チップも破断されることから、スロットマシンの内部を見なくても専用の受信機により、チップの有無を判断することが可能となる。
【００４９】
また、この他に、抜脱防止部材の部材本体の表面に、例えば文字やマークなどの刻印を設けることも可能である。これによれば、抜脱防止部材の部材部材が溝近傍で折り曲げられた場合には、文字やマークが変形する、或いは白化するので、抜脱防止部材を視認するだけで、不正な行為が行われたか否かを判断することができる。また、抜脱防止部材の偽造を防止することができる。
【００５０】
本実施形態では、挿入ボックスを回路基板収納ケースの内部に組み付けた実施形態としているが、これに限定する必要はなく、例えば回路基板収納ケースの外側に組み付けた実施形態としても良い。その際に容易に回路基板収納ケースから取り外せないように封印処理を施すと好適である。
【００５１】
本実施形態では、遊技制御回路基板に、挿入ボックスを挿通させるための挿通孔を遊技制御回路基板に設けた実施形態としているが、これに限定する必要はなく、例えばコネクタ受け部が遊技制御回路基板の周縁部に設けられている場合には挿通孔を設ける必要はない。
【００５２】
本実施形態では、回路基板として遊技制御回路基板を例に挙げて説明しているが、回路基板としては、これに限定されるものではない。また、遊技機としてスロットマシンを例に取り上げたが、これに限定する必要はなく、例えば、パチンコ機や、他の遊技機についても、本発明を用いることができる。
【図面の簡単な説明】
【００５３】
【図１】スロットマシンの外観を示す斜視図である。
【図２】スロットマシン内部構成を示す斜視図である。
【図３】スロットマシンの内部に組み込まれる遊技制御回路基板と、これを収納する収納ケースの構成を分解して示す斜視図である。
【図４】回路基板収納ケース内部の遊技機制御回路基板とケーブルとのコネクタの接続状態を示す斜視図である。
【図５】コネクタ受け部とコネクタとを接続した後に、抜脱防止部材を組み付ける際の状態を示す正面図である。
【図６】コネクタ受け部にコネクタを差込接続する前のコネクタ受け部近傍の状態を示す断面図である。
【図７】コネクタ受け部にコネクタを差込接続したときのコネクタ受け部近傍の状態を示す断面図である。
【図８】抜脱防止部材を回路基板収納ケースに組み付ける過程であって、コネクタ受け部近傍の状態を示す断面図である。
【図９】抜脱防止部材を回路基板収納ケースに組み付けた状態であって、コネクタ受け部近傍の状態を示す断面図である。
【図１０】抜脱防止部材と、挿入ボックスとによって回路基板収納ケースの上ケースを挟持する場合の、コネクタ受け部近傍の状態を示す断面図である。
【符号の説明】
【００５４】
４１  回路基板収納ケース
４２  上ケース
４３  下ケース
４４  遊技制御回路基板
５５  挿入ボックス
５５ａ  開口（係合孔）
６５  コネクタ受け部
６５ａ  係合突起
７０  コネクタ
７１  コネクタ本体
７２  フック
７２ａ  係止部
７２ｂ  操作部
７５  ケーブル
８０  抜脱防止部材
８１  部材本体（連結片）
８２  押さえ片
８３  係止片
８３ａ  軸部
８３ｂ、８３ｃ  鏃部
８５  溝（連結解除部）
８６  突出片
８８，８９  溝部（破断部）
【図１】
2008018145.tif 000003
【図２】
2008018145.tif 000004
【図３】
2008018145.tif 000005
【図４】
2008018145.tif 000006
【図５】
2008018145.tif 000007
【図６】
2008018145.tif 000008
【図７】
2008018145.tif 000009
【図８】
2008018145.tif 000010
【図９】
2008018145.tif 000011
【図１０】
2008018145.tif 000012